(57)【要約】      （修正有）【課題】１本の帯に複数の幅及び色柄の機能を持たせる和装用の帯を提供する。【解決手段】中央布１の上縁部に、上側布２が縫い付けられ、下縁部には下側布３が縫い付けられている。上段・中段・下段と違う布が縫い付けられており、上側布と下側布は、折りたたんだ状態ではどちらを上に重ねても使え、またどちらかだけを開いても使え、さらに両方を開いて使うこともできる、開閉自由な縫製となっている和装用の帯である。一本の帯で性別・年齢・状況に応じた使い分けを可能とした。【選択図】図１
0003224432.tif 000002
【実用新案登録請求の範囲】
【請求項１】
帯状の中央布と、
中央布の上縁に折り返し可能な状態で縫い付けられた、中央布とは異なる柄を有し、中央布よりも幅狭とされた上側布と、
中央布の下縁に折り返し可能な状態で縫い付けられた、中央布及び上側布とは異なる柄を有し、中央布よりも幅狭とされた下側布と、
を備えたことを特徴とする和装用の帯。
【考案の詳細な説明】
【技術分野】
【０００１】  本考案は、幅や柄が自由に変えられ男女兼用で使うことのできる、和装用の帯に関するものである。
【背景技術】
【０００２】  帯は、着物の上から胴体に巻き付け、固定する長尺の布（例えば特許文献１を参照）である。和装に帯は欠かせないものであるが、状況に応じて異なった幅や色柄を使い分ける必要があり、和装を嗜むには日常から個人において多種多様な複数の帯を保有しておかなければならない。
【先行技術文献】
【特許文献】
【０００３】
【特許文献１】実用新案登録第３０６２２９３号公報
【考案の概要】
【考案が解決しようとする課題】
【０００４】  個人が複数の帯を保有するには、収納場所の確保や経済的負担という問題が大きい。そこで、帯を使用するときに幅や色柄が変えられ、一本の帯で複数の用途に対応することができれば、前述の欠点を解決することができる。
【課題を解決するための手段】
【０００５】  上記課題は、帯状の中央布と、
中央布の上縁に折り返し可能な状態で縫い付けられた、中央布とは異なる柄を有し、中央布よりも幅狭とされた上側布と、
中央布の下縁に折り返し可能な状態で縫い付けられた、中央布及び上側布とは異なる柄を有し、中央布よりも幅狭とされた下側布と、
を備えたことを特徴とする和装用の帯を提供することによって解決される。
【考案の効果】
【０００６】  和装用の帯は長い布状の形状であるが、一枚の布ではなく、複数の布を縫い合わせてできている。帯状の中央布と、その上縁には中央布とは異なる柄を有し、中央布よりも幅狭とされた上側布と、下縁には中央布及び上側布とは異なる柄を有し、中央布よりも幅狭とされた下側布が縫い合わされていることで、縫い合わせ部分で折り返しが可能となっている。上側布と下側布を折り返した状態で中央布のみで和装用の帯として使用する場合は、男性用の細帯として使用できる。またその裏側を見た場合、裏側は上側布と下側布が折り重なった状態となっており、この面も男性用の細帯として使用できる。このとき、上側布と下側布、どちらを上、あるいは下に重ねるかによって色柄の出具合が変わり、まったく別の帯を使っているような印象となる。それによって、男性用の細帯としても、単なるリバーシブルでなく、３種類の色柄の出しかたが可能となり、一本の帯で楽しめるおしゃれの幅が広がった。女性用としては、上側布のみを開くと、中央布と上側布とで半幅帯として用いる。また反対に、下側布を開いても同じく半幅帯としても使うことができる。さらに背中を飾る帯結びのときに、上側布と下側布すべての布を開くことで幅広の帯となり、豪華に見える帯結びを結ぶことができる。小柄な女性は男性用の細帯状態でも帯を用いることから、帯の幅では３種類、帯の色柄の出しかたについては６種類の使いかたができることとなった。
【図面の簡単な説明】
【０００７】
【図１】本考案の和装用の帯の、全体を図式化したものである。
【図２】本考案の和装用の帯の、断面図である。
【図３】本考案の和装用の帯の、中央布１、上側布２、下側布３すべての面を使用した実施例である。
【図４】本考案の和装用の帯の、中央布１と上側布２の面を主とした実施例である。
【図５】本考案の和装用の帯の、中央布１と下側布３の面を主とした実施例である。
【図６】本考案の和装用の帯の、中央布１の面を主とした実施例である。
【図７】本考案の和装用の帯の、上側布２の面を主、下側布３の面を副とした実施例である。
【図８】本考案の和装用の帯の、下側布３の面を主、上側布２の面を副とした実施例である。
【考案を実施するための形態】
【０００８】  男性、女性共に着物を着用した状態で本体を用いる。男性は腰部あたり、女性は胸下から腰骨までの位置で本体を体に２周あるいは３周巻き付ける。そこで本体の端と体に巻きつけた残りの帯部分で結び、体に固定する。
【実施例】
【０００９】  以下、添付図面に従って一実施例を説明する。図１は、本考案の和装用の帯の全体のイメージ図である。帯は、体に２周あるいは３周巻き付け、さらに背面でさまざまな帯結びの形をつくるため、長い布状となっている。その長さは３メートル以上は必要だが、本品は特定の長さに限定するものではない。中央布１の上縁部に上側布２を、下縁部に下側布３を縫い付けた仕様である。上側布２及び下側布３の上下幅は、それぞれ中央布１の上下幅よりも狭く、且つ、中央布１の上下幅の２分の１よりも広くすることが好ましい。これにより、後述するように、上側布２と下側布３との重なり方を変えることでも和装用の帯の印象を変えることができる。本実施態様においては、上側布２と下側布３とを同幅としているが、これは上側布２と下側布３が同幅と限定するものではない。色柄、素材についても同様である。ただし、すべての布の長さは同じである。中央布１と上側布２、中央布１と下側布３が縫い合わさることにより、中央布１の布を中心として、一般的な呼び名として細帯から半幅帯、袋帯の幅の帯に自由に変化させ使用することができる。【００１０】  図２は、本考案の和装用の帯の、図６、図７、図８の断面図である。【００１１】  図３は、本考案の和洋用の帯の、開いて使う状態のうち、最大の幅に広げた状態である。中央布１と上側布２、中央布１と下側布３は、本品の端から端まで横に長く縫い付けられている。帯幅とすれば、これは従来の袋帯と呼ばれる帯の幅に該当する。この場合、このままの幅で体に２周あるいは３周巻くことはなく、体の正面では図４、図５、図６、図７、図８のいずれかの幅で巻き付けることとなる。図３の帯幅を用いるのは、体の背面で帯結びと呼ばれるさまざまな形をつくるときに効力を発する。それは、帯幅を広げることで帯結びが豪華に見えるという利点があるからである。また、体の正面と背面とで帯の幅、色、柄、素材が異なることで、今までにない帯結び、そして着物姿になることで、多種多様な帯を保有する必要がなく、和装を楽しむことができる。【００１２】  図４は、主に女性用半幅帯と呼ばれる幅で使う場合となる。中央布１と上側布２は横に長く縫い合わされている。中央布１と上側布２は、図１の中央布１と上側布２、図２の中央布１と上側布２、図３の中央布１と上側布２と同じものである。本考案の和装用の帯の、開いて使う状態の一例である。これは、天地を逆にして使うこともできるため、色柄、素材の違う中央布１と上側布２の布どちらを上部、下部に用いるかによって、印象を変える和装姿になることができる。【００１３】  図５は、主に女性用半幅帯と呼ばれる幅で使う場合となる。中央布１と下側布３は横に長く縫い合わされている。中央布１と下側布３は、図１の中央布１と下側布３、図２の中央布１と下側布３、図３の中央布１と下側布３と同じものである。本考案の和装用の帯の、開いて使う状態の一例である。これは、天地を逆にして使うこともできるため、色柄、素材の違う中央布１と下側布３の布どちらを上部、下部に用いるかによって、印象を変える和装姿になることができる。【００１４】  図６は、図７と図８の裏面となる。中央布１の上縁部は図１の上側布２と、下縁部は図１の下側布３と縫い合わされている。使用例の中で一番細い状態として使う場合、図６は一見、今までに存在する男性用細帯と同じ状態といえる。だがこの状態で体に２周あるいは３周巻いたあと、さまざまな帯結びの形をつくる過程で、裏面（この場合、図７もしくは図８）が見えることで、今までとは違った色柄の出具合を楽しむことができる帯となる。主に男性用の細帯または小柄な女性用の帯として用いる。【００１５】  図７の上側布２と下側布３は、ともに異なった色柄の、横に長い布状のものである。素材が異なる場合も勿論ある。上側布２の上縁部は図６の中央布１と縫い合わされ、下縁部は開閉自由となっている。下側布３の下縁部は図６の中央布１と縫い合わされ、上縁部は開閉自由となっている。下側布３は、ほとんど上側布２の下に重なっており、一部分が表に見えた状態である。この状態で主に男性用の細帯または小柄な女性用の帯として用いる。全体の長さも充分あり、体に２周あるいは３周巻き、しっかりと体に固定することで、２種類の色柄を楽しむ帯となる。【００１６】  図８の上側布２と下側布３は、ともに異なった色柄の、横に長い布状のものである。素材が異なる場合も勿論ある。上側布２の上縁部は図６の中央布１と縫い合わされ、下縁部は開閉自由となっている。下側布３の下縁部は図６の中央布１と縫い合わされ、上縁部は開閉自由となっている。上側布２は、ほとんど下側布３の下に重なっており、一部分が表に見えた状態である。
【符号の説明】
【００１７】  １  中央布
２  上側布
３  下側布
【図１】
0003224432.tif 000003
【図２】
0003224432.tif 000004
【図３】
0003224432.tif 000005
【図４】
0003224432.tif 000006
【図５】
0003224432.tif 000007
【図６】
0003224432.tif 000008
【図７】
0003224432.tif 000009
【図８】
0003224432.tif 000010